(57)【特許請求の範囲】
【請求項１】
光学透過型の頭部装着型表示装置であって、
画像データを取得する取得部と、
前記画像データに基づいて画像光を生成し、使用者に前記画像光を虚像として視認させるために前記画像光を出力する画像表示部と、
操作を受け付ける操作部と、
受け付けられた前記操作に応じて前記画像表示部を制御する制御部と、を備え、
前記操作部は、前記操作部における一の面に配置され前記操作を受け付ける第１の入力部と、前記操作部における前記一の面とは異なる面に配置され前記操作を受け付ける第２の入力部と、を含み、
前記制御部は、前記第１の入力部と前記第２の入力部のうち、前記操作を受け付けた受付入力部に応じて、前記画像表示部における外景の透過率を変更する、頭部装着型表示装置。
【請求項２】
請求項１に記載の頭部装着型表示装置であって、
前記操作部は、前記制御部に前記操作部の位置を認証させるための操作部位置信号を送信する操作部位置信号送信部を含み、
前記画像表示部は、前記制御部に前記画像表示部の位置を認証させるための表示部位置信号を送信する表示部位置信号送信部を含み、
前記制御部は、前記操作部の前記操作部位置信号と前記表示部位置信号とに基づいて前記操作部と前記画像表示部との位置関係を認証する位置認証処理部を含み、前記位置関係に応じて前記画像表示部における外景の透過率を変更する、頭部装着型表示装置。
【請求項３】
請求項２に記載の頭部装着型表示装置であって、
前記位置関係は、前記画像表示部が使用者に視認させる前記虚像と前記受付入力部とが重複している関係である、頭部装着型表示装置。
【請求項４】
請求項１ないし請求項３のいずれかに記載の頭部装着型表示装置であって、
前記制御部は、前記受付入力部に応じて、使用者に視認させる前記虚像における前記操作の表示方法が異なる、頭部装着型表示装置。
【請求項５】
光学透過型の頭部装着型表示装置であって、
画像データを取得する取得部と、
前記画像データに基づいて画像光を生成し、使用者に前記画像光を虚像として視認させるために前記画像光を出力する画像表示部と、
操作を受け付ける操作部と、
受け付けられた前記操作に応じて前記画像表示部を制御する制御部と、を備え、
前記操作部は、前記操作部における一の面に配置され前記操作を受け付ける第１の入力部と、前記操作部における前記一の面とは異なる面に配置され前記操作を受け付ける第２の入力部と、前記制御部に前記操作部の位置を認証させるための操作部位置信号を送信する操作部位置信号送信部と、を含み、
前記画像表示部は、前記制御部に前記画像表示部の位置を認証させるための表示部位置信号を送信する表示部位置信号送信部を含み、
前記制御部は、前記操作部の前記操作部位置信号と前記表示部位置信号とに基づいて前記操作部と前記画像表示部との位置関係を認証する位置認証処理部を含み、前記位置関係に応じて前記画像表示部を制御する制御内容を変更する、頭部装着型表示装置。
【請求項６】
請求項５に記載の頭部装着型表示装置であって、
前記位置認証処理部は、
受信した前記操作部位置信号としての赤外線に基づいて、前記制御部と前記操作部との距離である操作部距離を特定し、
受信した前記表示部位置信号としての赤外線に基づいて、前記制御部と前記画像表示部との距離である表示部距離を特定し、
特定した前記操作部距離と前記表示部距離とに基づいて、前記位置関係を認証する、頭部装着型表示装置。
【請求項７】
請求項５または請求項６に記載の頭部装着型表示装置であって、
前記制御部は、前記位置認証処理部が前記制御部から所定の距離の範囲に複数の前記操作部を認証した場合に、検出された前記複数の操作部から操作を受け付ける前記操作部を選択可能に前記画像表示部に表示させる、頭部装着型表示装置。
【請求項８】
請求項１ないし請求項７のいずれかに記載の頭部装着型表示装置であって、
前記制御部は、制御部用電源を有し、
前記操作部は、操作部用電源を有し、
前記制御部と前記操作部とは、着脱自在であり、
前記操作部は、前記制御部と接続されている場合に、前記制御部用電源から供給される電力によって動作し、前記制御部と接続されていない場合に、前記操作部用電源から供給される電力によって動作する、頭部装着型表示装置。
【請求項９】
請求項１ないし請求項８のいずれかに記載の頭部装着型表示装置であって、
前記操作部は、異なる前記操作部と交換可能であり、前記制御部に認証させるために認証信号を送信する認証信号送信部を含み、
前記制御部は、前記認証信号送信部からの前記認証信号に基づき前記操作部を認証する認証処理部を含み、認証された前記操作部が受け付けた前記操作に基づいて前記制御を行い、未認証の前記操作部が受け付けた前記操作に基づく前記制御を受け付けない、頭部装着型表示装置。
【請求項１０】
請求項１ないし請求項９のいずれかに記載の頭部装着型表示装置であって、
前記第１の入力部または前記第２の入力部は、音声入力を受け付ける、頭部装着型表示装置。
【請求項１１】
請求項１ないし請求項１０のいずれかに記載の頭部装着型表示装置であって、
前記制御部は、前記第１の入力部が受け付けた第１の操作と、同時前記第２の入力部が受け付けた第２の操作と、の組み合わせに応じた新たな操作に基づいて前記制御を行う、頭部装着型表示装置。
【請求項１２】
請求項１１に記載の頭部装着型表示装置であって、
前記操作部において、前記第１の入力部と前記第２の入力部とは、表裏の位置の関係に形成されている、頭部装着型表示装置。
【請求項１３】
請求項１ないし請求項１２のいずれかに記載の頭部装着型表示装置であって、
前記操作部は、操作部用電源を有し、
前記制御部は、前記画像表示部と一体であり、前記操作部とは別体である、頭部装着型表示装置。
【請求項１４】
請求項１ないし請求項１３のいずれかに記載の頭部装着型表示装置であって、
前記第１の入力部は、前記画像光と同じように使用者に視認させる画像を表示可能な液晶表示面である、頭部装着型表示装置。
【発明の詳細な説明】
【技術分野】
【０００１】
本発明は、情報処理装置および光学透過型の頭部装着型表示装置に関する。
【背景技術】
【０００２】
情報処理装置では、各種情報を処理するために、操作部から受け付けられた操作によって、制御部が情報処理装置を制御する。操作部としては、例えば、ボタンやトラックパッド等が用いられる。このような情報処理装置の操作部では、小型化を達成しつつ操作性を向上することが望ましい。
【０００３】
情報処理装置において、操作部に配置されているボタンに使用者の指が接触すると、ボタンに形成された検出部がその接触を感知して、操作部と一体として構成されている画像表示部に使用者の指が接触しているボタンをハイライトして画像表示することで、操作性を向上させつつ操作部を小型化する技術が知られている（例えば、特許文献１参照）。
【先行技術文献】
【特許文献】
【０００４】
【特許文献１】特開２００４−３５５６０６号公報
【発明の概要】
【発明が解決しようとする課題】
【０００５】
しかし、上記従来の情報処理装置では、操作部の小型化および操作性向上の両立の点で改善の余地があった。
【０００６】
本発明は、上述の課題を解決するためになされたものであり、情報処理装置において、操作部を小型化しつつ操作性をより向上させる技術を提供することを目的とする。
【課題を解決するための手段】
【０００７】
上記課題の少なくとも一部を解決するために、本発明は、以下の形態または適用例として実現することが可能である。本発明の一形態は、光学透過型の頭部装着型表示装置であって、画像データを取得する取得部と；前記画像データに基づいて画像光を生成し、使用者に前記画像光を虚像として視認させるために前記画像光を出力する画像表示部と；操作を受け付ける操作部と；受け付けられた前記操作に応じて前記画像表示部を制御する制御部と、を備え；前記操作部は、前記操作部における一の面に配置され前記操作を受け付ける第１の入力部と、前記操作部における前記一の面とは異なる面に配置され前記操作を受け付ける第２の入力部と、を含み；前記制御部は、前記第１の入力部と前記第２の入力部のうち、前記操作を受け付けた受付入力部に応じて、前記画像表示部における外景の透過率を変更する。このような形態であれば、制御部は、操作を受け付けた受付入力部に応じて、使用者が視認する画像表示部における外景の透過率を変更するので、使用者の操作性を向上させることができる。また、本発明の他の形態は、光学透過型の頭部装着型表示装置であって、画像データを取得する取得部と；前記画像データに基づいて画像光を生成し、使用者に前記画像光を虚像として視認させるために前記画像光を出力する画像表示部と；操作を受け付ける操作部と；受け付けられた前記操作に応じて前記画像表示部を制御する制御部と、を備え；前記操作部は、前記操作部における一の面に配置され前記操作を受け付ける第１の入力部と、前記操作部における前記一の面とは異なる面に配置され前記操作を受け付ける第２の入力部と、前記操作部の加速度を検出して前記制御部に通知する検出部と、を有し；前記制御部は、前記加速度に応じて、前記第１の入力部と前記第２の入力部との少なくとも一方が受け付ける前記操作の入力方向と、前記画像表示部を制御する内容と、の関係を変更する。このような形態であれば、制御部が操作部の向きに応じて、自動的に使用者に適切な方向における操作を提供するので、使用者の操作性を向上させることができる。
【０００８】
［適用例１］情報処理装置であって、
操作を受け付ける操作部と、
受け付けられた前記操作に応じて前記情報処理装置を制御する制御部と、を備え、
前記操作部は、前記操作部における一の面に配置され前記操作を受け付ける第１の入力部と、前記操作部における前記一の面とは異なる面に配置され前記操作を受け付ける第２の入力部と、を含む、情報処理装置。
【０００９】
この情報処理装置では、操作部が使用者からの操作を受け付け、制御部が当該操作に応じて情報処理装置を制御する。操作部は、一方の面に当該操作を受け付ける第１の入力部と、第１の入力部とは異なる面に当該操作を受け付ける第２の入力部と、を含んでいる。そのため。この情報処理装置では、操作部が複数の入力部を備えているので、操作部をより小型化することができ、操作性を向上させることができる。
【００１０】
［適用例２］適用例１に記載の情報処理装置であって、前記制御部は、前記第１の入力部が受け付けた第１の操作と、前記第２の入力部が受け付けた第２の操作と、の組み合わせに応じた新たな操作に基づいて前記制御を行う、情報処理装置。
【００１１】
この情報処理装置では、制御部は、第１の入力部が受け付けた操作と第２の入力部が受け付けた操作との組み合わせの操作で、第１の入力部のみ、または、第２の入力部のみが受け付けた操作と異なる新たな操作に基づいて制御を行う。そのため、この情報処理装置では、異なる入力部が受け付けた操作の組み合わせによる新たな操作に応じて制御を行うので、操作部を小型化することができる。
【００１２】
［適用例３］適用例１または適用例２に記載の情報処理装置であって、前記操作部において、前記第１の入力部と前記第２の入力部とは、表裏の位置関係に形成されている、情報処理装置。
【００１３】
この情報処理装置では、操作部において、第１の入力部と第２の入力部とは表裏の位置関係に形成されているので、操作部をより小型化することができる。
【００１４】
［適用例４］適用例１ないし適用例３のいずれかに記載の情報処理装置であって、前記制御部は、制御部用電源を有し、前記操作部は、操作部用電源を有し、前記制御部と前記操作部とは、着脱自在である、情報処理装置。
【００１５】
この情報処理装置では、制御部は、制御部用電源から電力を供給され、操作部は、操作部用電源から電力を供給され、制御部と操作部とは着脱可能である。そのため、この情報処理装置では、制御部と操作部とを分離しても、操作部が受け付けた操作によって情報処理装置を制御できるので、操作部の携帯性を上げることができる。
【００１６】
［適用例５］適用例４に記載の情報処理装置であって、前記操作部は、前記第１の入力部と前記第２の入力部とにおける操作受け付け方法が異なる、情報処理装置。
【００１７】
この情報処理装置では、操作部は、第１の入力部と第２の入力部とにおける操作受け付け方法が異なるので、使用者は、処理する制御内容の種類に応じて適当な操作部を選択できるため、より使用者の操作性を向上させることができる。
【００１８】
［適用例６］適用例５に記載の情報処理装置であって、前記操作部は、異なる前記操作部と交換可能であり、前記制御部に認証させるために認証信号を送信する認証信号送信部を含み、前記制御部は、前記認証信号送信部からの前記認証信号に基づき前記操作部を認証する認証処理部を含み、認証された前記操作部が受け付けた前記操作に基づいて前記制御を行い、未認証の前記操作部が受け付けた前記操作に基づく前記制御を受け付けない、情報処理装置。
【００１９】
この情報処理装置では、操作部は、異なる操作部と交換可能であり、制御部との間で認証処理の認証信号を送信する認証信号送信部を有し、制御部における認証処理部は、操作部の有する認証信号送信部との間で信号のやりとりを行って、操作部の認証処理を実行する。制御部は、認証された操作部に受け付けられた操作に応じて情報処理装置の制御を行う。そのため、この情報処理装置では、認証信号および認証処理部によって操作部が受け付けた操作に応じて情報処理装置の制御を行うため、使用者の操作性を向上させることができる。
【００２０】
［適用例７］適用例６に記載の情報処理装置であって、前記認証処理部は、前記交換可能な操作部の内の１つを排他的に認証する、情報処理装置。
【００２１】
この情報処理装置では、認証処理部は、１つの操作部を排他的に認証して、他の操作部からの認証要求があっても当該他の操作部を認証しないため、認証を行っていない操作部の操作を受け付けないので、誤操作を少なくすることができる。
【００２２】
［適用例８］適用例４ないし適用例７のいずれかに記載の情報処理装置であって、前記操作部は、前記制御部と接続されている場合に、前記制御部用電源から供給される電力により動作する、情報処理装置。
【００２３】
この情報所処理装置では、操作部は、制御部に接続しているときは制御部用電源から電力を供給されて動作するため、常に独立した操作部用電源を内蔵する必要がなく、操作部を小型化することができる。
【００２４】
［適用例９］適用例１ないし適用例８のいずれかに記載の情報処理装置であって、前記制御部と前記操作部との少なくとも一方は、前記制御部と前記操作部との相対位置および向きを変更できる接続部を有し、前記制御部は、前記相対位置および向きに応じて、前記第１の入力部と前記第２の入力部との少なくとも一方が受け付けた前記操作に対して異なる内容の前記制御を行う、情報処理装置。
【００２５】
この情報処理装置では、操作部は接続部を介して制御部と接続され、接続部を支点として制御部と操作部との相対位置および向きを変更できる。制御部は接続部が検出した制御部と操作部との相対位置および向きに応じて第１の入力部と第２の入力部との少なくとも一方が受け付けた操作に対して情報処理装置に異なる内容の制御を行う。そのため、この情報処理装置では、制御部と操作部との相対位置および向きに応じて、使用者の操作に対する制御の内容が異なるので、自動的に使用者に適切な入力部を選択させ、使用者の操作性を向上させることができる。
【００２６】
［適用例１０］適用例１ないし適用例９のいずれかに記載の情報処理装置であって、前記操作部は、前記操作部の加速度を検出して前記制御部に通知する検出部を有し、前記制御部は、前記加速度に応じて、前記制御部における前記操作の入力方向と前記制御の内容との関係を変更する、情報処理装置。
【００２７】
この情報処理装置では、検出部は、操作部の重力方向に対する向きを検出し、制御部は、当該向きに応じて、受け付けた操作の向きと制御内容との関係を変更する。そのため、この情報処理装置では、制御部が操作部の向きに応じて、自動的に使用者に適切な方向における操作を提供するので、使用者の操作性を向上させることができる。
【００２８】
［適用例１１］適用例１ないし適用例１０のいずれかに記載の情報処理装置であって、前記制御部は、前記操作を受け付ける第３の入力部であって、前記第１の入力部と前記第２の入力部との少なくとも一方と一体で１つの入力部として機能する第３の入力部を含む、情報処理装置。
【００２９】
この情報処理装置では、制御部は、第１の入力部と第２の入力部との少なくとも一方と一体で１つの入力部として操作を受け付けて機能する第３の入力部を含んでいるため、操作部自体を大きくしなくても、操作面を広くできるので使用者の操作性を向上させることができる。
【００３０】
［適用例１２］適用例１ないし適用例１１のいずれかに記載の情報処理装置であって、前記制御部は、制御の内容に応じて、前記第１の入力部が受け付けた前記操作と前記第２の入力部が受け付けた前記操作とから選択された一方に基づき、前記制御を行う、情報処理装置。
【００３１】
この情報処理装置では、制御部は、制御する制御の内容に応じて、第１の入力部が受け付けた操作または第２の入力部が受け付けた操作から選択された一方の操作に基づき情報処理装置の制御を行うため、自動的に使用者に適切な入力部からの操作を選択させ、使用者の操作性を向上させることができる。
【００３２】
［適用例１３］光学透過型の頭部装着型表示装置であって、画像データを取得する取得部と、前記画像データに基づいて画像光を生成し、使用者に前記画像光を虚像として視認させるために前記画像光を出力する画像表示部と、操作を受け付ける操作部と、受け付けられた前記操作に応じて前記画像表示部を制御する制御部と、を備え、前記操作部は、前記操作部における一の面に配置され前記操作を受け付ける第１の入力部と、前記操作部における前記一の面とは異なる面に配置され前記操作を受け付ける第２の入力部と、を含む、頭部装着型表示装置。
【００３３】
この頭部装着型表示装置では、取得部が画像データを取得し、画像表示部が画像データに基づいて画像光を生成して使用者に生成した画像光を虚像として視認させ、操作部が使用者からの操作を受け付け、制御部が受け付けられた操作に応じて画像表示部を制御する。操作部は、一方の面に当該操作を受け付ける第１の入力部と、第１の入力部とは異なる面に当該操作を受け付ける第２の入力部と、を含んでいる。そのため、この頭部装着型表示装置では、操作部が複数の入力部を備えているので、操作部をより小型化することができ、操作性を向上させることができる。
【００３４】
［適用例１４］適用例１３に記載の頭部装着型表示装置であって、前記操作部は、操作部用電源を有し、前記制御部は、前記画像表示部と一体であり、前記操作部とは別体である、頭部装着型表示装置。
【００３５】
この頭部装着型表示装置では、操作部は操作部用電源から電力を供給され、制御部は、画像表示部と一体であり、操作部とは分離されているので、頭部装着型表示装置をより小型化することができる。
【００３６】
［適用例１５］適用例１３または適用例１４に記載の頭部装着型表示装置であって、前記操作部は、複数の入力部を含み、前記制御部は、前記複数の入力部のうち前記操作を受け付けた受付入力部に応じて、前記画像表示部における外景の透過率を変更する、頭部装着型表示装置。
【００３７】
この頭部装着型表示装置では、制御部は、操作を受け付けた受付入力部に応じて、使用者が視認する画像表示部における外景の透過率を変更するので、使用者の操作性を向上させることができる。
【００３８】
［適用例１６］適用例１５に記載の頭部装着型表示装置であって、前記入力部は、前記制御部に前記入力部の位置を認証させるための入力部位置信号を送信する入力部位置信号送信部を含み、前記画像表示部は、前記制御部に前記画像表示部の位置を認証させるための表示部位置信号を送信する表示部位置信号送信部を含み、前記制御部は、前記受付入力部の前記入力部位置信号と前記表示部位置信号とに基づいて前記受付入力部と前記画像表示部との位置関係を認証する位置認証処理部を含み、前記位置関係に応じて前記画像表示部における外景の透過率を変更する、頭部装着型表示装置。
【００３９】
この頭部装着型表示装置では、制御部は、受付入力部と画像表示部との位置関係に応じて、画像表示部における外景の透過率を変化させるので、使用者の操作性を向上させることができる。
【００４０】
［適用例１７］適用例１６に記載の頭部装着型表示装置であって、前記位置関係は、前記画像表示部が使用者に視認させる前記虚像と前記受付入力部とが重複している関係である、頭部装着型表示装置。
【００４１】
この頭部装着型表示装置では、制御部は、画像表示部において、使用者が視認する虚像と受付入力部が重複する場合には、当該重複部分の外景の透過率を変更するので、使用者にとって受付入力部が視認しやすく、使用者の操作性を向上させることができる。
【００４２】
［適用例１８］適用例１５ないし適用例１７のいずれかに記載の頭部装着型表示装置であって、前記制御部は、前記受付入力部に応じて、使用者に視認させる前記虚像における前記操作の表示方法が異なる、頭部装着型表示装置。
【００４３】
この頭部装着型表示装置では、受付入力部に応じて虚像における操作の表示方法が異なるので、使用者が操作している受付入力部を虚像で認識させることができ、使用者の操作性を向上させることができる。
【００４４】
なお、本発明は、種々の態様で実現することが可能であり、例えば、情報処理装置および情報処理装置の制御方法、表示装置および表示装置の制御方法、頭部装着型表示装置および頭部装着型表示装置の制御方法、情報処理システム、頭部装着型表示システム、これらの方法、装置またはシステムの機能を実現するためのコンピュータープログラム、そのコンピュータープログラムを記録した記録媒体、そのコンピュータープログラムを含み搬送波内に具現化されたデータ信号、等の形態で実現することができる。
【図面の簡単な説明】
【００４５】
【図１】本発明の実施例における情報処理装置としての頭部装着型表示装置１００の外観構成を示す説明図である。
【図２】頭部装着型表示装置１００の構成を機能的に示す説明図である。
【図３】制御部１０および操作部８０の外観構成の一例を示す説明図である。
【図４】制御部１０および操作部８０の外観構成の一例を示す説明図である。
【図５】制御部１０および操作部８０の外観構成の一例を示す説明図である。
【図６】制御部１０および操作部８０の外観構成の一例を示す説明図である。
【図７】第２実施例における操作部８０ａの外観構成の一例を示す説明図である。
【図８】第３実施例における制御部１０ｂおよび操作部８０ｂの外観構成の一例を示す説明図である。
【図９】変形例における制御部１０ｃおよび操作部８０ｃの外観構成の一例を示す説明図である。
【図１０】変形例における制御部１０ｄおよび操作部８０ｄの外観構成の一例を示す説明図である。
【図１１】変形例における操作部８０ｅの外観構成の一例を示す説明図である。
【発明を実施するための形態】
【００４６】
次に、本発明の実施の形態を実施例に基づいて以下の順序で説明する。
Ａ．第１実施例：
Ａ−１．頭部装着型表示装置の構成：
Ａ−２．制御部および操作部の詳細構成：
Ｂ．第２実施例：
Ｃ．第３実施例：
Ｄ．変形例：
【００４７】
Ａ．第１実施例：
Ａ−１．頭部装着型表示装置の構成：
図１は、本発明の実施例における情報処理装置としての頭部装着型表示装置１００の外観構成を示す説明図である。頭部装着型表示装置１００は、頭部に装着する表示装置であり、ヘッドマウントディスプレイ（Head Mounted Display、ＨＭＤ）とも呼ばれる。本実施例の頭部装着型表示装置１００は、使用者が、虚像を視認すると同時に外景も直接視認可能な光学透過型の頭部装着型表示装置である。
【００４８】
頭部装着型表示装置１００は、使用者の頭部に装着された状態において使用者に虚像を視認させる画像表示部２０と、画像表示部２０を制御する制御部（コントローラー）１０および操作部８０と、を備えている。
【００４９】
画像表示部２０は、使用者の頭部に装着される装着体であり、本実施例では眼鏡形状に形成されている。画像表示部２０は、右保持部２１と、右表示駆動部２２と、左保持部２３と、左表示駆動部２４と、右光学像表示部２６と、左光学像表示部２８と、を含んでいる。右光学像表示部２６および左光学像表示部２８は、頭部装着型表示装置１００の装着時における使用者の右および左の眼前に対応する位置に配置されている。右光学像表示部２６の一端と、左光学像表示部２８の一端は、それぞれ、頭部装着型表示装置１００の装着時における使用者の眉間に対応する位置で接続されている。右光学像表示部２６の他端である端部ＥＲからは、右保持部２１が延伸している。同様に、左光学像表示部２８の他端である端部ＥＬからは、左保持部２３が延伸している。
【００５０】
画像表示部２０は、また、右耳用の右イヤホン３２および左耳用の左イヤホン３４を有する。右イヤホン３２および左イヤホン３４は、使用者が画像表示部２０を装着した際に、それぞれ右および左の耳に装着される。
【００５１】
右保持部２１は、右光学像表示部２６の端部ＥＲから、頭部装着型表示装置１００の装着時における使用者の側頭部に対応する位置にかけて、右光学像表示部２６とほぼ直角をなすように延伸して設けられた部材である。同様に、左保持部２３は、左光学像表示部２８の端部ＥＬから、頭部装着型表示装置１００の装着時における使用者の側頭部に対応する位置にかけて、左光学像表示部２８とほぼ直角をなすように延伸して設けられた部材である。右保持部２１と、左保持部２３は、眼鏡のテンプル（つる）のようにして、使用者の頭部に頭部装着型表示装置１００を保持する。
【００５２】
右表示駆動部２２は、右保持部２１の内側（換言すれば、頭部装着型表示装置１００の装着時における使用者の頭部に対向する側）であって、右光学像表示部２６の端部ＥＲ側に配置されている。また、左表示駆動部２４は、左保持部２３の内側であって、左光学像表示部２８の端部ＥＬ側に配置されている。なお、以降では、右表示駆動部２２および左表示駆動部２４を総称して単に「表示駆動部」と、右光学像表示部２６および左光学像表示部２８を総称して単に「光学像表示部」とも呼ぶ。
【００５３】
表示駆動部２２、２４は、図示しないＬＣＤ（Liquid Crystal Display：液晶ディスプレイ）や、投写光学系等を含む。詳細は後述する。光学部材としての光学像表示部２６、２８は、図示しない導光板と、調光板とを含んでいる。導光板は、光透過性の樹脂材料等によって形成され、表示駆動部２２、２４から取り込んだ画像光を使用者の眼に向けて射出させる。調光板は、薄板状の光学素子であり、頭部装着型表示装置１００の表側（使用者の眼の側とは反対の側）を覆うように配置されている。調光板は、導光板を保護し、導光板の損傷や、汚れの付着等を抑制するとともに、調光板の光透過率を調整することにより、使用者の眼に入る外光量を調整し、虚像の視認のしやすさを調整することができる。なお、調光板は省略可能である。
【００５４】
画像表示部２０は、さらに、画像表示部２０を制御部１０に接続するための接続部４０を有している。接続部４０は、制御部１０に接続される本体コード４８と、本体コード４８が２本に分岐した右コード４２と、左コード４４と、分岐点に設けられた連結部材４６と、を含んでいる。右コード４２は、右保持部２１の延伸方向の先端部ＡＰから右保持部２１の筐体内に挿入され、右表示駆動部２２に接続されている。同様に、左コード４４は、左保持部２３の延伸方向の先端部ＡＰから左保持部２３の筐体内に挿入され、左表示駆動部２４に接続されている。
【００５５】
画像表示部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。右コード４２と、左コード４４と、本体コード４８と、には、例えば、金属ケーブルや光ファイバーを採用することができる。
【００５６】
制御部１０は、頭部装着型表示装置１００を制御するための装置である。制御部１０は、操作部８０と接続されており、操作部８０が受け付けた操作に応じて頭部装着型表示装置１００を制御する。なお、操作部８０の詳細については後述する。
【００５７】
図２は、頭部装着型表示装置１００の構成を機能的に示す説明図である。図２に示すように、制御部１０は、ＣＰＵ１４０と、ＲＯＭやＲＡＭ等により構成された記憶部１２０と、頭部装着型表示装置１００の各部に電力を供給する制御部用電源１３０と、画像（静止画像、動画像）や音声等のコンテンツデータの供給元となる種々の外部機器ＯＡ（例えば、パーソナルコンピューターＰＣや携帯電話端末、ゲーム端末）を接続するためのインターフェイス１８０と、送信部（Ｔｘ）５１および５２と、を有している。制御部用電源１３０としては、例えば二次電池を用いることができ、インターフェイス１８０としては、例えばＵＳＢインターフェイスやメモリーカード用インターフェイス、無線ＬＡＮインターフェイス等を採用することができる。
【００５８】
記憶部１２０には、種々のコンピュータープログラムが格納されており、ＣＰＵ１４０は、記憶部１２０からコンピュータープログラムを読み出して実行することにより、オペレーティングシステム（ＯＳ）１５０、画像処理部１６０、表示制御部１９０、音声処理部１７０、検出処理部１６５、認証処理部１７５として機能する。
【００５９】
画像処理部１６０は、インターフェイス１８０を介して入力されるコンテンツに基づき、クロック信号ＰＣＬＫ、垂直同期信号ＶＳｙｎｃ、水平同期信号ＨＳｙｎｃ、画像データＤａｔａを生成し、接続部４０を介してこれらの信号を画像表示部２０に供給する。具体的には、画像処理部１６０は、コンテンツに含まれる画像信号を取得する。取得した画像信号は、例えば動画像の場合、一般的に、１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃの周期に応じて、図示しないＰＬＬ（Phase Locked Loop）回路等を利用してクロック信号ＰＣＬＫを生成する。
【００６０】
画像処理部１６０は、同期信号が分離されたアナログ画像信号を、図示しないＡ／Ｄ変換回路等を用いてディジタル画像信号に変換する。その後、画像処理部１６０は、変換後のディジタル画像信号を、対象画像の画像データＤａｔａ（ＲＧＢデータ）として、１フレームごとに記憶部１２０内のＤＲＡＭに格納する。なお、画像処理部１６０は、必要に応じて、画像データに対して、解像度変換処理、輝度、彩度の調整といった種々の色調補正処理、キーストーン補正処理等の画像処理を実行してもよい。
【００６１】
画像処理部１６０は、生成したクロック信号ＰＣＬＫ、垂直同期信号ＶＳｙｎｃ、水平同期信号ＨＳｙｎｃと、記憶部１２０内のＤＲＡＭに格納された画像データＤａｔａとを、送信部５１、５２を介してそれぞれ送信する。なお、送信部５１を介して送信される画像データＤａｔａを「右眼用画像データ」とも呼び、送信部５２を介して送信される画像データＤａｔａを「左眼用画像データ」とも呼ぶ。送信部５１、５２は、制御部１０と画像表示部２０との間におけるシリアル伝送のためのトランシーバーとして機能する。
【００６２】
表示制御部１９０は、表示駆動部２２、２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、表示駆動部２２、２４のそれぞれによる画像光の生成および射出を制御する。例えば、表示制御部１９０は、表示駆動部２２および左表示駆動部２４の両方に画像光を生成させたり、一方のみに画像光を生成させたり、両方共に画像光を生成させなかったりする。
【００６３】
表示制御部１９０は、右ＬＣＤ制御部２１１と左ＬＣＤ制御部２１２とに対する制御信号を、送信部５１、５２を介してそれぞれ送信する。また、表示制御部１９０は、右バックライト制御部２０１と左バックライト制御部２０２とに対する制御信号を、それぞれ送信する。
【００６４】
音声処理部１７０は、コンテンツデータに含まれる音声信号を取得し、取得した音声信号を増幅して、画像表示部２０の右イヤホン３２および左イヤホン３４に接続部４０を介して供給する。
【００６５】
検出処理部１６５は、後述する操作部８０における検出部８６が検出した操作部８０の位置に関して通知された情報を取得する。本実施例では、検出処理部１６５は、加速度センサーである検出部８６が検出した操作部８０の加速度が通知され、操作部８０の重力方向に対する向きの情報を取得する。
【００６６】
認証処理部１７５は、操作部８０の有する認証処理部８７との間で信号のやりとりを行って、操作部８０の認証処理を実行する。制御部１０は、認証された操作部８０に受け付けられた操作に応じて画像表示部２０の制御を行う。なお、本実施例では、認証処理部１７５は、１つの操作部８０を排他的に認証する。すなわち、現に認証済みの操作部８０が存在するときには、他の操作部８０から認証要求があっても認証処理部１７５は当該他の操作部８０を認証しない。
【００６７】
使用者による操作を受け付ける操作部８０は、操作部８０の位置に関する情報を検出する検出部８６と、制御部１０との間で認証処理を実行する認証処理部８７と、操作部８０に電力を供給する操作部用電源８３と、操作部８０と制御部１０とを接続するためのインターフェイス８８と、ボタンやトラックパッド等を有し使用者からの操作を受け付ける入力部８５と、を有している。なお、認証処理部８７は、本発明における認証信号送信部に相当する。
【００６８】
検出部８６は、操作部８０の加速度を検出する加速度センサーを含む。加速度センサーは、電圧出力方式の３軸加速度センサーであり、操作部８０の３軸（Ｘ軸、Ｙ軸、Ｚ軸）の加速度を検出する。検出部８６は、重力加速度や操作部８０の重力方向に対する傾き、すなわち操作部８０の操作面がどの方向に向いているかの検出が可能である。
【００６９】
インターフェイス８８としては、ＵＳＢインターフェイス、無線ＬＡＮインターフェイス、Bluetooth（登録商標）等を採用することができる。なお、入力部８５の詳細については、後述する。
【００７０】
画像表示部２０は、右表示駆動部２２と、左表示駆動部２４と、右光学像表示部２６としての右導光板２６１と、左光学像表示部２８としての左導光板２６２と、右イヤホン３２と、左イヤホン３４と、を備えている。
【００７１】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１と、を含んでいる。
【００７２】
受信部５３は、制御部１０と画像表示部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データと、に基づいて、右ＬＣＤ２４１を駆動する機能を有する。右ＬＣＤ２４１は、複数の画素をマトリクス状に配置した透過型液晶パネルである。
【００７３】
右投写光学系２５１は、右ＬＣＤ２４１から射出された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。導光部は、画像光を用いて使用者に虚像を視認させる限りにおいて任意の方式を用いることができ、例えば、回折格子を用いてもよいし、半透過反射膜を用いてもよい。
【００７４】
左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２と、を含んでいる。右表示駆動部２２と左表示駆動部２４とは対になっており、左表示駆動部２４の各部は、右表示駆動部２２で説明する各部と同様の構成および動作を有するので詳細な説明は省略する。
【００７５】
このようにして、頭部装着型表示装置１００の使用者の両眼に導かれた画像光が網膜に結像することにより、使用者は虚像を視認する。
【００７６】
Ａ−２．制御部および操作部の詳細構成：
図３ないし図６は、制御部１０および操作部８０の外観構成の一例を示す説明図である。図３には、制御部１０は接続部５０を有しており、操作部８０が接続部５０を介して制御部１０と接続されている状態を示している。操作部８０は、制御部１０における接続部５０との接続を取り外すことで着脱可能となっている。なお、図３では、制御部１０と画像表示部２０とを接続している接続部４０等（図１）は図示していない。
【００７７】
図３に示すように、本実施例における操作部８０の外観は、略直方体の形状である。操作部８０における一方の面には、第１の入力部８１が形成されている。第１の入力部８１には、決定キー１１と、点灯部１２と、表示切替キー１３と、トラックパッド１４と、輝度切替キー１５と、方向キー１６と、メニューキー１７と、電源スイッチ１８と、が配置されている。決定キー１１は、押下操作を検出して、第１の入力部８１で操作された内容を決定する信号を出力する。点灯部１２は、頭部装着型表示装置１００の動作状態（例えば、電源のＯＮ／ＯＦＦ等）を、その発光状態によって通知する。点灯部１２としては、例えば、ＬＥＤ（Light Emitting Diode）を用いることができる。表示切替キー１３は、押下操作を検出して、例えば、コンテンツ動画の表示モードを３Ｄと２Ｄとに切り替える信号を出力する。トラックパッド１４は、トラックパッド１４の操作面上での使用者の指の操作を検出して、検出内容に応じた信号を出力する。トラックパッド１４としては、静電式や圧力検出式、光学式といった種々のトラックパッドを採用することができる。輝度切替キー１５は、押下操作を検出して、画像表示部２０の輝度を増減する信号を出力する。方向キー１６は、上下左右方向に対応するキーへの押下操作を検出して、検出内容に応じた信号を出力する。電源スイッチ１８は、スイッチのスライド操作を検出することで、頭部装着型表示装置１００の電源投入状態を切り替える。
【００７８】
図４には、制御部１０および操作部８０において、図３の状態から接続部５０を支点として操作部８０を制御部１０から引き離した、すなわち制御部１０および操作部８０を折りたたんだ状態から開いた状態にした場合の状態を示している。図４に示すように、操作部８０は、制御部１０における接続部５０を支点として制御部１０に対する相対位置および向きを変更することができ、操作部８０における第１の入力部８１と表裏の位置関係にある他方の面には第２の入力部８２が形成されている。第２の入力部８２には、複数のボタンが配列されたキーボード８４が配置されている。キーボード８４に配置されたボタンは、押下操作を検出して、操作部８０で操作された内容を決定する信号を出力する。なお、第１の入力部８１および第２の入力部８２は、入力部８５（図２）に相当する。
【００７９】
図５には、接続部５０を支点として操作部８０を１８０度回転させて、第１の入力部８１の面と制御部１０における操作部接触面２５（図４）とを対向するように接触させて第２の入力部８２を入力部８５とした操作部８０を示している。図５に示すように、操作部８０は、制御部１０との接続部５０を支点として回転させることで、入力部８５として第１の入力部８１または第２の入力部８２が選択されて、制御部１０および操作部８０を一体として小型化した略直方体の形状に変形することができる。
【００８０】
また、操作部８０には、加速度センサーである検出部８６が内部に配置されている。検出部８６は、３軸における操作部８０の加速度を検出するため、検出処理部１６５は、操作部８０における第１の入力部８１および第２の入力部８２の向き、すなわち重力方向となす角度を算出することができる。また、例えば、接続部５０は、接続部５０に加わる力の向きよって制御部１０と操作部８０との相対位置の関係を検出するセンサーを含んでいる。本実施例では、制御部１０における操作部接触面２５と操作部８０における操作面とのなす角度が１８０度未満である場合に、制御部１０は、重力方向に向いていない操作面が受け付けた操作のみを有効な操作として制御を行う。なお、制御部１０と操作部８０との相対位置の関係を検出するセンサーは、接続部５０に含まれている必要はなく、例えば、制御部１０および操作部８０に配置された赤外線受信部および赤外線送信部によって当該関係を検出してもよい。
【００８１】
図６には、接続部５０によって制御部１０に接続していた操作部８０が分離した状態を示している。操作部８０が分離した制御部１０は、接続していたときと同様に制御部用電源１３０から電力を供給されて動作している。一方、操作部８０は、制御部１０に接続していたときは制御部用電源１３０から電力を供給されて動作していたが、制御部１０から分離すると、操作部８０に内蔵されている操作部用電源８３から電力を供給されて動作する。
【００８２】
本実施例では、制御部１０から操作部８０が分離しても、無線ＬＡＮ等によって、制御部１０と操作部８０とは制御信号等の送受信を行っているため、制御部１０は、操作部８０が受け付けた操作に応じて制御を行うことができる。
【００８３】
検出処理部１６５は、制御部１０から操作部８０が分離した状態であっても、操作部８０の検出部８６により検出された操作部８０の向き（重力方向となす角度）を、インターフェイス１８０を介して取得することができる。本実施例では、制御部１０から操作部８０が分離した状態の場合、制御部１０は、操作部８０における重力方向に向いていない操作面が受け付けた操作のみを有効な操作として制御を行う。
【００８４】
また、本実施例の制御部１０および操作部８０では、制御部１０から分離した操作部８０を異なる操作部８０’と交換することができる。例えば、操作部８０’として、専用ゲーム機のコントローラーや音声入力部を備えた装置等と交換することができる。操作部８０’に認証処理を実行できる認証処理部８７’が内蔵されていれば、認証処理部１７５は、認証処理部８７’との間で信号のやりとりを行って、操作部８０’の認証処理を実行する。制御部１０は、認証された操作部８０’に受け付けられた操作に応じて画像表示部２０の制御を行う。この場合に、本実施例では、制御部１０は、交換前の操作部８０の認証信号を実行しないので、操作部８０に受け付けられた操作に応じて画像表示部２０の制御を行うことはない。なお、操作を受け付ける操作部として操作部８０または操作部８０’のいずれかの認証方法は、制御部１０と操作部８０との距離によって選択されてもよいし、認証処理部１７５が制御部１０から一定の距離に複数の操作部の信号を検出した場合に、制御部１０は、画像表示部２０にそのことを表示して交換前の操作部８０を使用者が操作することで操作部を選択できるようにしてもよい。また、制御部１０は、複数の操作部からの操作を受け付けて画像表示部２０の制御を行うものとしてもよい。
【００８５】
以上説明したように、本実施例における頭部装着型表示装置１００では、使用者からの操作を受け付ける操作部８０と、当該操作に応じて頭部装着型表示装置１００を制御する制御部１０と、を備えている。操作部８０は、略直方体の形状を形成していて、一方の面に第１の入力部８１が形成され、第１の入力部８１とは異なる面に第２の入力部８２が形成されている。そのため、この頭部装着型表示装置１００では、操作部８０が複数の入力部を備えているので、操作部８０をより小型化することができ、操作性を向上させることができる。
【００８６】
また、本実施例における頭部装着型表示装置１００では、操作部８０において、第１の入力部８１と第２の入力部８２とは、表裏の位置関係になるように形成されているので、操作部８０をより小型化することができる。
【００８７】
また、本実施例における頭部装着型表示装置１００では、操作部８０は、制御部１０における接続部５０との接続を取り外すことで着脱可能となっている。操作部８０が分離した制御部１０は、接続していたときと同様に制御部用電源１３０から電力を供給されて動作している。操作部８０は、制御部１０から分離すると、操作部８０に内蔵されている操作部用電源８３から電力を供給されて動作する。そのため、本実施例における頭部装着型表示装置１００では、制御部１０と操作部８０とを分離しても、操作部８０が受け付けた操作によって、画像表示部２０を制御できるので、操作部８０の携帯性を上げることができる。
【００８８】
また、本実施例における頭部装着型表示装置１００では、操作部８０は、第１の入力部８１と第２の入力部８２とが異なる操作を受け付ける入力部であるので、使用者は、処理する制御内容の種類に応じて適当な操作を受け付ける入力部８５を含んだ操作部を選択できるため、より使用者の操作性を向上させることができる。
【００８９】
また、本実施例の頭部装着型表示装置１００では、操作部８０は、制御部１０との間で認証処理を実行する認証処理部８７を有している。制御部１０における認証処理部１７５は、操作部８０の有する認証処理部８７との間で信号のやりとりを行って、操作部８０の認証処理を実行する。制御部１０は、認証された操作部８０に受け付けられた操作に応じて画像表示部２０の制御を行う。認証処理部１７５は、交換可能な操作部８０の内の１つの操作部８０を排他的に認証して、他の操作部８０から認証要求があっても当該他の操作部８０を認証せず、未認証の操作部８０への操作を受け付けない。そのため、本実施例の頭部装着型表示装置１００では、認証信号および認証処理部によって操作部が受け付けた操作に応じて画像表示部２０の制御を行い、認証を行っていない操作部８０の操作を受け付けないので、使用者の操作性を向上させて、かつ、誤操作を少なくすることができる。
【００９０】
また、本実施例の頭部装着型表示装置１００では、制御部１０は接続部５０を有しており、操作部８０は、接続部５０を介して制御部１０と接続され、制御部１０における接続部５０を支点として制御部１０に対する相対位置および向きを変化することができる。接続部５０は、接続部５０に加わる力の向きよって制御部１０と操作部８０との相対位置の関係を検出するセンサーを含んでいて、制御部１０における操作部接触面２５と操作部８０における操作面とのなす角度が１８０度未満である場合に、制御部１０は、重力方向に向いていない操作面が受け付けた操作のみを有効な操作として制御を行う。そのため、本実施例の頭部装着型表示装置１００では、制御部１０と操作部８０との相対位置および向きに応じて、第１の入力部８１が受け付けた操作と第２の入力部８２が受け付けた操作とで制御の内容が異なるので、自動的に使用者に適切な入力部が受け付けた操作によって頭部装着型表示装置１００が制御され、使用者の操作性を向上させることができる。
【００９１】
また、本実施例の頭部装着型表示装置１００では、操作部８０は、制御部１０に接続しているときは制御部用電源１３０から電力を供給されて動作していたため、常に独立した操作部用電源８３を内蔵する必要がなく、操作部８０を小型化させることができる。
【００９２】
Ｂ．第２実施例：
図７は、第２実施例における操作部８０ａの外観構成の一例を示す説明図である。図７（ａ）には、操作部８０ａにおける第１の入力部８１ａを示し、図７（ｂ）には、操作部８０ａにおける第２の入力部８２を示している。第２実施例における操作部８０ａでは、第１実施例の操作部８０と比較して第１の入力部８１ａが異なる。なお、検出部８６が検出した操作部８０ａの向き（重力方向となす角度）を検出処理部１６５が取得できることは第１実施例と同様である。また、第１実施例と第２実施例における第２の入力部８２は同じ入力部である。第１の入力部８１ａおよび第２の入力部８２は、入力部８５ａに相当する。
【００９３】
図７（ａ）に示すように、第１の入力部８１ａには、トラックパッド１４ａが形成されている。第２実施例における操作部８０ａでは、第１の入力部８１ａと第２の入力部８２とは、同時に使用者からの操作を受け付けることができる。例えば、重力方向に第１の入力部８１ａが向いている、すなわち、裏面を第１の入力部８１ａとし、表面を第２の入力部８２として、使用者は、キーボード８４のボタンを押下しながら、トラックパッド１４ａを操作することができる。
【００９４】
また、第２実施例における操作部８０ａでは、第１の入力部８１ａが受け付けた操作と第２の入力部８２が受け付けた操作とによる組み合わせの操作で、操作部８０ａは第１の入力部８１ａのみ、または、第２の入力部８２のみから受け付けられた操作と異なる操作を行う。例えば、使用者は、第２の入力部８２におけるキーボード８４における特定のボタンを押しながら、第１の入力部８１ａにおけるトラックパッド１４ａを操作することで、トラックパッド１４ａのみを操作した場合と異なる操作を行うことができる。
【００９５】
また、第１の入力部８１ａを回転、すなわち、トラックパッド１４ａが回転させると、使用者にとって同じ方向における操作であっても、トラックパッド１４ａの操作面において向きが異なる場合には、使用者が意図した操作と制御部１０の制御とが異なる場合がある。第２実施例の頭部装着型表示装置１００ａでは、検出部８６が操作部８０ａの重力方向に対する向きを検出して制御部１０に当該向きを通知し、制御部１０は、通知された操作部８０ａの向きに応じて第１の入力部８１ａが受け付けた操作と制御内容との関係を変更する。具体的には、トラックパッド１４ａの向きにかかわらず、操作部８０ａと重力方向との関係によって、制御部１０は、使用者の意図した操作が反映した制御を行うことができる。
【００９６】
以上説明したように、第２実施例における頭部装着型表示装置１００ａでは、第１の入力部８１ａが受け付けた操作と第２の入力部８２が受け付けた操作とによる組み合わせの操作で、操作部８０ａは第１の入力部８１ａのみ、または、第２の入力部８２のみから受け付けられた操作と異なる新たな操作を行い、制御部１０は当該操作に応じて頭部装着型表示装置１００ａの制御を行う。そのため、第２実施例の頭部装着型表示装置１００ａでは、異なる入力部への操作の組み合わせにより新たな操作が割り当てられているので、操作部８０ａを小型化することができる。
【００９７】
また、第２実施例における頭部装着型表示装置１００ａでは、検出部８６が操作部８０ａの重力方向に対する向きを検出して制御部１０に当該向きを通知し、制御部１０は、通知された操作部８０ａの向きに応じて第１の入力部８１ａが受け付けた操作と制御内容との関係を変更する。そのため、第２実施例における頭部装着型表示装置１００ａでは、制御部１０が操作部８０ａの向きに応じて、自動的に使用者に適切な方向における操作を提供するので、操作性を向上させることができる。
【００９８】
Ｃ．第３実施例：
図８は、第３実施例における制御部１０ｂおよび操作部８０ｂの外観構成の一例を示す説明図である。図８には、制御部１０ｂと操作部８０ｂにおける第１の入力部８１ｂとによって構成される１つの一体入力部８９を示している。第３実施例の一体入力部８９は、操作部８０ｂにおけるキーボード８４ｂ（第１の入力部８１ｂ）と制御部１０ｂに形成された第３の入力部３０におけるキーボード３１とから構成されている。第３実施例では、上記実施例と比べて、制御部１０ｂに第３の入力部３０であるキーボード３１が形成されている点が異なる。
【００９９】
図８では、制御部１０ｂと操作部８０ｂとは接続部５０ｂによって一体として形成されている。制御部１０ｂと操作部８０ｂとは、キーボード８４ｂとキーボード３１とが対向するように接続部５０ｂで折りたたむことができる。第３の入力部３０は、第１の入力部８１ｂと一体となって、一体入力部８９として使用者からの操作を受け付ける。
【０１００】
以上説明したように、第３実施例における頭部装着型表示装置１００ｂでは、制御部１０ｂにおける第３の入力部３０と操作部８０ｂにおける第１の入力部８１ｂとは、一体となって一体入力部８９として動作する。そのため、第３実施例における頭部装着型表示装置１００ｂでは、制御部１０ｂが一体入力部８９の一部として使用されることで、操作部８０ｂ自体を大きくしなくても、操作面を広くできるので使用者の操作性を向上させることができる。
Ｄ．変形例：
なお、この発明は上記の実施例や実施形態に限られるものではなく、その要旨を逸脱しない範囲において種々の態様において実施することが可能であり、例えば次のような変形も可能である。
【０１０１】
Ｄ１．変形例１：
上記実施例では、情報処理装置として頭部装着型表示装置１００を用いたが、これに限られず、情報処理装置は種々変形可能である。例えば、情報処理装置は、パーソナルコンピューターやゲーム機等であってもよい。
【０１０２】
上記実施例では、頭部装着型表示装置１００において、制御部１０は、画像表示部２０と分離した構成としているが、この態様に限られず、種々変形可能である。例えば、制御部１０が画像表示部２０と一体に構成されていてもよい。この頭部装着型表示装置１００では、制御部１０が画像表示部２０と一体で構成されているため、頭部装着型表示装置１００をより小型化することができる。
【０１０３】
Ｄ２．変形例２：
上記実施例では、制御部１０と操作部８０との関係に応じて第１の入力部８１や第２の入力部８２についての制御を行ったが、制御部１０は、制御する制御内容に応じて、第１の入力部８１が受け付けた操作または第２の入力部８２が受け付けた操作から選択した操作に基づき制御を行う態様としてもよい。例えば、頭部装着型表示装置１００ｃにおける画像表示部２０に表示される画像データにおいて、複数の選択肢の中から一つを選ぶコンテンツだった場合には、制御部１０は、上記第２実施例における第２の入力部８２のキーボード８４からの使用者の操作のみを受け付け、第１の入力部８１ａにおけるトラックパッド１４ａからの操作は受け付けない制御を行う。一方、画像表示部２０に表示される画像データにおいて、画像の中から特定のポイントを指定するコンテンツだった場合には、制御部１０は、第１の入力部８１ａにおけるトラックパッド１４ａからの操作を受け付け、第２の入力部８２におけるキーボード８４からの操作を受け付けない制御を行う。この変形例の頭部装着型表示装置１００ｃでは、制御部１０は、制御する制御内容に応じて、第１の入力部８１が受け付けた操作および第２の入力部８２が受け付けた操作から選択した操作に基づき制御を行うため、自動的に使用者に適切な入力部からの操作を選択させ、使用者の操作性を向上させることができる。
【０１０４】
また、上記実施例において、制御部１０は、操作を受け付けた入力部によって、頭部装着型表示装置１００ｃの画像表示部２０が使用者に視認される操作の表示方法を変更してもよい。例えば、制御部１０は、第２実施例における第１の入力部８１ａのトラックパッド１４ａから操作を受け付けた場合、画像表示部２０には矢印形状のポインターを使用者に視認させる。一方、制御部１０は、第２の入力部８２におけるキーボード８４によって所定の場所に文章を打ち込む場合、画像表示部２０には文章を打ち込む場所を点滅させて使用者に視認させる。そのため、この変形例の頭部装着型表示装置１００ｃでは、制御部１０は、操作を受け付けた入力部によって使用者に視認させる操作の表示方法が異なり、使用者に操作を受け付けた入力部を視覚で認識させることができるので、使用者の操作性を向上させることができる。
【０１０５】
また、上記実施例において、制御部１０は、操作を受け付けた入力部に応じて頭部装着型表示装置１００ｃの画像表示部２０における外景の透過率を変更してもよい。例えば、制御部１０は、第２実施例における第１の入力部８１ａのトラックパッド１４ａから操作を受け付けた場合、画像表示部２０には矢印形状のポインターを使用者に視認させ、このときには画像表示部２０における外景の透過率は変更しない。一方、制御部１０は、第２の入力部８２におけるキーボード８４による操作を受け付ける場合、使用者にキーボード８４を視認させやすくするために画像表示部２０における外景の透過率を上昇させる。そのため、この変形例の頭部装着型表示装置１００ｃでは、制御部１０は、操作を受け付けた入力部に応じて、画像表示部２０における外景の透過率を変更するので、使用者の操作性を向上させることができる。
【０１０６】
また、上記実施例において、制御部１０は、操作を受け付けた入力部と頭部装着型表示装置１００ｃの画像表示部２０との位置関係によって、画像表示部２０における外景の透過率を変更してもよい。例えば、第２の入力部８２における認証処理部８７ｃは、制御部１０に第２の入力部８２の位置を認証させるために赤外線等の位置信号を送信する。また、画像表示部２０は、制御部１０に画像表示部の位置を認識させるために赤外線等の位置信号を送信する表示部位置信号送信部を有する。制御部１０における認証処理部１７５ｃは、第２の入力部８２の認証処理部８７ｃが送信した位置信号および画像表示部２０の位置認証処理部が送信した位置信号を受信する。制御部１０は、受信した位置信号によって第２の入力部８２と画像表示部２０との位置関係を認証する。制御部１０は、当該位置関係において、画像表示部２０で使用者に視認させる虚像と第２の入力部８２とが重複する場合には、当該重複部分における外景の透過率を上昇させる。そのため、この変形例の頭部装着型表示装置１００ｃでは、第２の入力部８２と画像表示部２０との位置関係に応じて、画像表示部２０における外景の透過率を変更するので、画像表示部２０の表示画像と操作を受け付けている入力部とが重複している場合であっても、使用者にとって入力部が視認しやすく、使用者の操作性を向上させることができる。なお、認証処理部８７ｃは、本発明における入力部位置信号送信部に相当し、認証処理部１７５ｃは、位置認証処理部に相当する。
【０１０７】
Ｄ３．変形例３：
図９は、変形例における制御部１０ｃおよび操作部８０ｃの外観構成の一例を示す説明図である。図９には、制御部１０ｃに第２の入力部８２ｃが形成されている状態を示している。この変形例における制御部１０ｃは、第１実施例の制御部１０と異なり、操作部８０ｃとしても機能している。図９に示すように、制御部１０ｃ（以降、「操作部８０ｃ」とも呼ぶ）の操作部接触面２５ｃには、ゲーム機のコントローラーに用いられる第２の入力部８２ｃが形成されている。この変形例に示す操作部８０ｃのように、制御部１０ｃの一部を操作部８０ｃの一部として配置して、操作部８０ｃの小型化を行ってもよい。
Ｄ４．変形例４：
【０１０８】
図１０は、変形例における制御部１０ｄおよび操作部８０ｄの外観構成の一例を示す説明図である。図１０（ａ）には、操作部８０ｄの液晶表示面３６における第１の入力部８１ｄを操作できる状態を示している。図１０（ｂ）には、操作部８０ｄにおける液晶表示面３６と操作部接触面２５ｄとをスライドさせて、液晶表示面３６における第１の入力部８１ｄと操作部接触面２５ｄにおける第２の入力部８２とを操作できる状態を示している。
【０１０９】
図１０（ａ）に示すように、操作部８０ｄの液晶表示面３６には、液晶表示部３５が配置されている。液晶表示部３５は、頭部装着型表示装置１００ｄにおける画像表示部２０が使用者に視認させている画像と同じ画像を表示している液晶画像表示部３７と、第１の入力部８１ｄのタッチパネル式のソフトキーボードと、で構成されている。なお、第１の入力部８１ｄは、入力部を操作することにより液晶表示部３５に非表示にでき、液晶画像表示部３７を大きくすることができる。また、第１の入力部８１ｄの所定のソフトキーボードを操作することにより、第１の入力部８１ｄにおけるキーボードの種類は変更することができるため、第１の入力部８１ｄは使用者の意思によって適切なキーボードの種類の選択を実現し、使用者の操作性を向上させることができる。
【０１１０】
図１０（ｂ）に示すように、上記実施例と同じように、操作部接触面２５ｄには第２の入力部８２が配置されている。制御部１０ｄは、操作部８０における第１の入力部８１ｄおよび第２の入力部８２が受け付けた操作に応じて制御を行う。また、第２の入力部８２におけるキーボード８４を操作することで、第１の入力部８１のソフトキーボードの種類を変更し、液晶表示部３５から第１の入力部８１ｄを非表示にできる。また、頭部装着型表示装置１００ｄにおける画像表示部２０の表示画像と同じ画像を液晶表示部３５に表示できるので、頭部装着型表示装置１００ｄの使用者以外の第三者が操作部８０ｄを操作することで、頭部装着型表示装置１００ｄの使用者に当該第三者が意図した画像を視認させることができる。
【０１１１】
Ｄ５．変形例５：
図１１は、変形例における操作部８０ｅの外観構成の一例を示す説明図である。図１１に示す操作部８０ｅは、第２実施例の操作部８０ａに対して、第１の入力部８１ｅが異なる。操作部８０ｅにおける第１の入力部８１ｅは、操作部８０ｅの側面に形成されたスライド式のテンキー（キーボード）９１である。第１の入力部８１ｅは、操作部８０ｅにおける第１の入力部８１ｅの側面を押すことにより、操作部８０ｅの内部に収納可能な入力部である。そのため、この変形例における操作部８０ｅでは、使用者に必要なときに第１の入力部８１ｅを操作することができ、不要なときには収納して操作部８０ｅを小型化して、かつ使用者の操作性を向上させることができる。
【０１１２】
Ｄ６．変形例６：
また、上記実施例の頭部装着型表示装置１００の構成において、オペレーティングシステム１５０と画像処理部１６０と表示制御部１９０と音声処理部１７０と検出処理部１６５と認証処理部１７５とは、ＣＰＵ１４０がソフトウェアを実行することにより実現されるとしているが、電子回路といったハードウェアによって実現されるとしてもよい。また、本発明の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。
【０１１３】
また、上記実施例では、外部機器ＯＡからコンテンツデータが供給されるとしているが、頭部装着型表示装置１００の制御部１０の記憶部１２０にコンテンツデータが格納され、記憶部１２０に格納されたコンテンツデータに基づき画像が形成されるとしてもよい。
【０１１４】
また、上記実施例の頭部装着型表示装置１００の構成において、制御部１０と画像表示部２０とが接続部４０により有線接続されるとしているが、制御部１０と画像表示部２０とが、無線ＬＡＮや赤外線通信、Bluetooth（登録商標）等の信号伝送路を介して接続されるとしてもよい。
【０１１５】
また、上記実施例の頭部装着型表示装置１００の構成において、画像表示部２０が眼鏡のように装着するＨＭＤであるとしているが、画像表示部２０が通常の平面型ディスプレイ装置（液晶ディスプレイ装置、プラズマディスプレイ装置、有機エレクトロルミネッセンス（Electro-Luminescence：ＥＬ）ディスプレイ装置等）であるとしてもよい。この場合にも、制御部１０と画像表示部２０との間の接続は、有線の信号伝送路を介した接続であってもよいし、無線の信号伝送路を介した接続であってもよい。このようにすれば、制御部１０を、通常の平面型ディスプレイ装置のリモコンとして利用することができる。また、画像表示部として、眼鏡のように装着する画像表示部２０に代えて、例えば帽子のように装着する画像表示部といった他の形状の画像表示部を採用してもよい。また、イヤホン３２、３４は省略してもよい。
【０１１６】
また、上述した実施形態における構成要素のうち、独立請求項に記載された要素以外の要素は、付加的な要素であり、適宜省略、または、組み合わせが可能である。
【符号の説明】
【０１１７】
１０…制御部
１１…決定キー
１２…点灯部
１３…表示切替キー
１４…トラックパッド
１５…輝度切替キー
１６…方向キー
１７…メニューキー
１８…電源スイッチ
２０…画像表示部
２１…右保持部
２２…右表示駆動部
２３…左保持部
２４…左表示駆動部
２５…操作部接触面
２６…右光学像表示部
２８…左光学像表示部
３０…第３の入力部
３１…キーボード
３２…右イヤホン
３４…左イヤホン
３５…液晶表示部
３６…液晶表示面
３７…液晶画像表示部
４０…接続部
４２…右コード
４４…左コード
４６…連結部材
４８…本体コード
５０…接続部
５１…送信部
５２…送信部
５３…受信部
５４…受信部
８０…操作部
８１…第１の入力部
８２…第２の入力部
８３…操作部用電源
８４…キーボード
８５…入力部
８６…検出部
８７…認証処理部
８８…インターフェイス
８９…一体入力部
９１…テンキー
１００…頭部装着型表示装置
１２０…記憶部
１３０…制御部用電源
１４０…ＣＰＵ
１５０…オペレーティングシステム
１６０…画像処理部
１６５…検出処理部
１７０…音声処理部
１７５…認証処理部
１８０…インターフェイス
１９０…表示制御部
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
ＯＡ…外部機器
【図１】
0005990958.tif 000002
【図２】
0005990958.tif 000003
【図３】
0005990958.tif 000004
【図４】
0005990958.tif 000005
【図５】
0005990958.tif 000006
【図６】
0005990958.tif 000007
【図７】
0005990958.tif 000008
【図８】
0005990958.tif 000009
【図９】
0005990958.tif 000010
【図１０】
0005990958.tif 000011
【図１１】
0005990958.tif 000012